(57)【要約】【課題】複数台の血液浄化装置を含む血液浄化システム全体の洗浄をより早期に開始できるようにすること。【解決手段】ＲＯ装置２のコンピュータは、血液浄化装置１Ａ，１Ｂから、当該血液浄化装置１Ａ，１Ｂのそれぞれで洗浄が完了したことを示す信号を受信する。そして、ＲＯ装置２のコンピュータは、血液浄化システム内のすべての血液浄化装置の洗浄の完了を検出すると、Ａ原液供給装置３およびＢ原液供給装置４の洗浄を含む血液浄化システム全体の洗浄を開始する。【選択図】図１
2015000281.tif 000002
【特許請求の範囲】
【請求項１】
血液浄化システムを制御するためのコンピュータによって実行される、血液浄化システムの制御プログラムであって、
前記血液浄化システムは、血液浄化治療のための複数の血液浄化装置と、各前記血液浄化装置に清浄水を供給するための清浄水供給装置と、各前記血液浄化装置に透析液を供給するための溶液供給装置と、前記清浄水供給装置と各前記血液浄化装置とを接続する第１の管と、前記溶液供給装置と各前記血液浄化装置とを接続する第２の管とを含み、
前記制御プログラムは、前記コンピュータに、
各前記血液浄化装置から送信される洗浄の完了を示す信号に基づいて、複数の前記血液浄化装置の全ての洗浄の完了を検出することと、
複数の前記血液浄化装置の全ての洗浄の完了を検出したことに応じて、前記清浄水供給装置、前記溶液供給装置、前記第１の管および前記第２の管を洗浄するための、前記血液浄化システムの洗浄のための処理とを実行させる、血液浄化システムの制御プログラム。
【請求項２】
前記血液浄化システムの洗浄のための処理は、
複数の前記血液浄化装置の全ての洗浄の完了を検出したことに応じて、前記溶液供給装置に対して当該溶液供給装置の洗浄の指示を送信することと、
前記溶液供給装置から送信された当該溶液供給装置の洗浄の完了の通知を受信することと、
前記通知の受信に応じて、前記清浄水供給装置に対して、前記溶液供給装置、前記第１の管および前記第２の管に洗浄のための液体を供給する指示を送信することとを含む、請求項１に記載の血液浄化システムの制御プログラム。
【請求項３】
前記血液浄化システムの洗浄のための処理は、複数の前記血液浄化装置の全ての洗浄の完了を検出したことに応じて、前記清浄水供給装置に対して、前記溶液供給装置、前記第１の管および前記第２の管に洗浄のための液体の供給の指示をすることを含む、請求項１に記載の血液浄化システムの制御プログラム。
【請求項４】
前記制御プログラムは、前記コンピュータに、
さらに、前記清浄水供給装置または前記溶液供給装置に対する操作を検出させ、
前記操作が検出されたことを条件として、前記血液浄化システムの洗浄のための処理を実行させる、請求項１〜請求項３のいずれか１項に記載の血液浄化システムの制御プログラム。
【請求項５】
血液浄化システムの制御装置であって、
前記血液浄化システムは、血液浄化治療のための複数の血液浄化装置と、各前記血液浄化装置に清浄水を供給するための清浄水供給装置と、各前記血液浄化装置に透析液を供給するための溶液供給装置と、前記清浄水供給装置と各前記血液浄化装置とを接続する第１の管と、前記溶液供給装置と各前記血液浄化装置とを接続する第２の管とを含み、
前記制御装置は、
前記清浄水供給装置、前記溶液供給装置、前記第１の管および前記第２の管の洗浄を制御するように構成されている制御部と、
各前記血液浄化装置から出力される当該血液浄化装置の洗浄の完了を示す信号に基づいて、複数の前記血液浄化装置の全ての洗浄の完了を検出するように構成されている検出部とを備え、
前記制御部は、前記検出部が複数の前記血液浄化装置の全ての洗浄の完了を検出したことに応じて、前記清浄水供給装置、前記溶液供給装置、前記第１の管および前記第２の管の洗浄を開始するように構成されている、血液浄化システムの制御装置。
【請求項６】
血液浄化治療のための複数の血液浄化装置と、各前記血液浄化装置に清浄水を供給するための清浄水供給装置と、各前記血液浄化装置に透析液を供給するための溶液供給装置と、前記清浄水供給装置と各前記血液浄化装置とを接続する第１の管と、前記溶液供給装置と各前記血液浄化装置とを接続する第２の管とを備える血液浄化システムの制御装置が実行する、当該血液浄化システムの制御方法であって、
前記制御装置が、各前記血液浄化装置から、当該血液浄化装置の洗浄の完了を示す信号を送信することと、
前記制御装置が、複数の前記血液浄化装置の全てから前記信号を受信したことに応じて、前記清浄水供給装置、前記溶液供給装置、前記第１の管および前記第２の管の洗浄を実行することとを含む、血液浄化システムの制御方法。
【請求項７】
血液浄化治療のための、複数の血液浄化装置と、
前記血液浄化装置に清浄水を供給するための清浄水供給装置と、
各前記血液浄化装置に透析液を供給するための溶液供給装置と、
前記清浄水供給装置と各前記血液浄化装置とを接続する第１の管と、
前記溶液供給装置と各前記血液浄化装置とを接続する第２の管と、
請求項５に記載の血液浄化システムの制御装置とを備える、血液浄化システム。
【発明の詳細な説明】
【技術分野】
【０００１】
本開示は、血液浄化治療のための複数の血液浄化装置を含む血液浄化システムの制御に関する。
【背景技術】
【０００２】
従来、複数の血液浄化装置を含む血液浄化システムが提案されている。このような血液浄化システムは、たとえば、特開２００９−５６２７１号公報（特許文献１）に開示されるように、透析液を供給するためのＡ原液タンクおよびＢ原液タンクと、清浄水を供給するためのＲＯ（Reverse Osmosis）装置とを含む。Ａ原液タンクは、塩化ナトリウム、塩化カリウム、塩化カルシウム、塩化マグネシウム、無水酢酸ナトリウム、ブドウ糖等を含有するＡ原液を貯蔵するタンクである。Ｂ原液タンクは、炭酸水素ナトリウム等を含有するＢ原液を貯蔵するタンクである。そして、各血液浄化装置は、Ａ原液タンクおよびＢ原液タンクのそれぞれに貯蔵された溶液をＲＯ装置から供給される清浄水で希釈することにより、透析液を供給生成する。
【０００３】
特許文献１では、上記システムの各種のタンクや溶液が通過するラインの洗浄方法が検討されている。たとえば、当該ラインの洗浄方法の一例として、Ａ原液タンクおよびＢ原液タンクを空にして、これらに直接清浄水を供給することにより、両タンクとともに上記ラインを洗浄する方法が提案されている。
【先行技術文献】
【特許文献】
【０００４】
【特許文献１】特開２００９−５６２７１号公報
【発明の概要】
【発明が解決しようとする課題】
【０００５】
透析液中の成分の堆積の回避などの理由により、個々の血液浄化装置の洗浄は、血液浄化治療の終了後なるべく早期に開始される必要がある。一方で、複数台の血液浄化装置によって共通で利用されるタンクやラインの洗浄の開始のタイミングは、個々の血液浄化装置における血液浄化治療の終了のタイミングのみによっては決定できない。しかしながら、血液浄化システム全体の洗浄を早期に開始させることによって早期に完了させようとした場合の具体的な制御内容は提案されていなかった。
【０００６】
本開示は、かかる実情に鑑み考え出されたものであり、その目的は、複数台の血液浄化装置を含む血液浄化システム全体の洗浄をより早期に開始できるようにすることである。
【課題を解決するための手段】
【０００７】
本開示のある局面に従うと、血液浄化システムを制御するためのコンピュータによって実行される、血液浄化システムの制御プログラムが提供される。血液浄化システムは、血液浄化治療のための複数の血液浄化装置と、各血液浄化装置に清浄水を供給するための清浄水供給装置と、各血液浄化装置に透析液を供給するための溶液供給装置と、清浄水供給装置と各血液浄化装置とを接続する第１の管と、溶液供給装置と各血液浄化装置とを接続する第２の管とを含む。制御プログラムは、コンピュータに、各血液浄化装置から送信される洗浄の完了を示す信号に基づいて、複数の血液浄化装置の全ての洗浄の完了を検出することと、複数の血液浄化装置の全ての洗浄の完了を検出したことに応じて、清浄水供給装置、溶液供給装置、第１の管および第２の管を洗浄するための、血液浄化システムの洗浄のための処理とを実行させる。
【０００８】
好ましくは、血液浄化システムの洗浄のための処理は、複数の血液浄化装置の全ての洗浄の完了を検出したことに応じて、溶液供給装置に対して当該溶液供給装置の洗浄の指示を送信することと、溶液供給装置から送信された当該溶液供給装置の洗浄の完了の通知を受信することと、通知の受信に応じて、清浄水供給装置に対して、溶液供給装置、第１の管および第２の管に洗浄のための溶液を供給する指示を送信することとを含む。
【０００９】
好ましくは、制御プログラムは、血液浄化システムの洗浄において、コンピュータに、複数の血液浄化装置の全ての洗浄の完了を検出したことに応じて、清浄水供給装置に対して、溶液供給装置、第１の管および第２の管に洗浄のための溶液を供給することを指示させる。
【００１０】
好ましくは、制御プログラムは、コンピュータに、さらに、清浄水供給装置または溶液供給装置に対する操作を検出させ、操作が検出されたことを条件として、血液浄化システムの洗浄を実行させる。
【００１１】
本開示の他の局面に従うと、血液浄化システムの制御装置が提供される。血液浄化システムは、血液浄化治療のための複数の血液浄化装置と、各血液浄化装置に清浄水を供給するための清浄水供給装置と、各血液浄化装置に透析液を供給するための溶液供給装置と、清浄水供給装置と各血液浄化装置とを接続する第１の管と、溶液供給装置と各血液浄化装置とを接続する第２の管とを含む。制御装置は、清浄水供給装置、溶液供給装置、第１の管および第２の管の洗浄を制御するように構成されている制御部と、各血液浄化装置から送信される洗浄の完了を示す信号に基づいて、複数の血液浄化装置の全ての洗浄の完了を検出するように構成されている検出部とを備える。制御部は、検出部が複数の血液浄化装置の全ての洗浄の完了を検出したことに応じて、清浄水供給装置、溶液供給装置、第１の管および第２の管の洗浄を開始するように構成されている。
【００１２】
本開示のさらに他の局面に従うと、血液浄化治療のための複数の血液浄化装置と、各血液浄化装置に清浄水を供給するための清浄水供給装置と、各血液浄化装置に透析液を供給するための溶液供給装置と、清浄水供給装置と各血液浄化装置とを接続する第１の管と、溶液供給装置と各血液浄化装置とを接続する第２の管と、制御装置とを備える血液浄化システムの制御方法が提供される。当該制御方法は、各血液浄化装置が、制御装置に、当該血液浄化装置の洗浄の完了を示す信号を送信することと、制御装置が、複数の血液浄化装置の全てから信号を受信したことに応じて、清浄水供給装置、溶液供給装置、第１の管および第２の管を洗浄するための、血液浄化システムの洗浄を実行することとを含む。
【００１３】
本開示の別の局面に従うと、血液浄化治療のための、複数の血液浄化装置と、血液浄化装置に清浄水を供給するための清浄水供給装置と、各血液浄化装置に透析液を供給するための溶液供給装置と、清浄水供給装置と各血液浄化装置とを接続する第１の管と、溶液供給装置と各血液浄化装置とを接続する第２の管と、上記した血液浄化システムの制御装置とを備える、血液浄化システムが提供される。
【図面の簡単な説明】
【００１４】
【図１】血液浄化システムの構成を概略的に示す図である。
【図２】血液浄化システムの各装置の洗浄のシーケンスを示す図である。
【図３】血液浄化装置のハードウェア構成を概略的に示す図である。
【図４】ＲＯ装置のハードウェア構成を概略的に示す図である。
【図５】ＲＯ装置に格納されたデータの一例を説明するための図である。
【図６】Ａ原液供給装置のハードウェア構成を概略的に示す図である。
【図７】Ｂ原液供給装置のハードウェア構成を概略的に示す図である。
【図８】血液浄化システムの全体を洗浄するための処理のフローチャートである。
【図９】第３の実施の形態における、血液浄化システム全体の洗浄のためのシーケンス図である。
【図１０】第３の実施の形態における、Ａ原液供給装置のハードウェア構成を概略的に示す図である。
【図１１】第３の実施の形態における、Ｂ原液供給装置のハードウェア構成を概略的に示す図である。
【図１２】第４の実施の形態の血液浄化システムにおける、血液浄化システム全体の洗浄のためのシーケンス図である。
【図１３】第５の実施の形態の血液浄化システムの構成を概略的に示す図である。
【図１４】第５の実施の形態における、制御用コンピュータのハードウェア構成を示す図である。
【図１５】第５の実施の形態における、血液浄化システム全体の洗浄のためのシーケンス図である。
【発明を実施するための形態】
【００１５】
以下に、図面を参照しつつ、本開示の実施の形態について説明する。以下の説明では、同一の部品および構成要素には同一の符号を付してある。それらの名称および機能も同じである。したがって、これらの説明は繰り返さない。
【００１６】
［第１の実施の形態］
＜血液浄化システムの構成＞
図１は、血液浄化システムの構成を概略的に示す図である。第１の実施の形態の血液浄化システムは、たとえば病院等の設備１００において複数の患者の血液浄化治療のためのシステムであり、複数の血液浄化装置を含む。血液浄化システムでは、患者ごとに血液浄化装置が使用されて、血液浄化治療が行われる。図１では、複数の血液浄化装置が、血液浄化装置１Ａ、血液浄化装置１Ｂとして示されている。各図において、血液浄化装置は、「ＤＩ」と示される場合がある。また、図１において、実線の矢印は溶液の流れを示し、破線の矢印は情報の流れを示す。血液浄化システムに含まれる血液浄化装置の数は、図１に血液浄化装置１Ａ，１Ｂとして示された「２」に限定されない。また、本明細書では、複数の血液浄化装置の総称として、血液浄化装置１Ａ，１Ｂを血液浄化装置１と表わす場合がある。
【００１７】
血液浄化システムは、さらに、血液浄化装置１Ａ，１Ｂのそれぞれに清浄水を提供するためのＲＯ装置２と、血液浄化装置１Ａ，１Ｂのそれぞれに上記したＡ原液を供給するためのＡ原液供給装置３と、血液浄化装置１Ａ，１Ｂのそれぞれに上記したＢ原液を供給するためのＢ原液供給装置４とを含む。
【００１８】
血液浄化システムは、また、ＲＯ装置２から各血液浄化装置１へ清浄水を供給するための清浄水配管５と、Ａ原液供給装置３から各血液浄化装置１へＡ原液を供給するためのＡ原液配管６と、Ｂ原液供給装置４から各血液浄化装置１へＢ原液を供給するためのＢ原液配管７とを含む。清浄水配管５は、Ａ原液供給装置３に接続される枝管５１と、Ｂ原液供給装置４に接続される枝管５２と、各血液浄化装置１に接続される枝管５Ａ，５Ｂ…とを含む。Ａ原液配管６は、各血液浄化装置１に接続される枝管６Ａ，６Ｂ…を含む。Ｂ原液配管７は、各血液浄化装置１に接続される枝管７Ａ，７Ｂ…を含む。
【００１９】
第１の実施の形態の血液浄化システムでは、血液浄化治療の際、各血液浄化装置１には、ＲＯ装置２から清浄水が供給され、Ａ原液供給装置３からＡ原液が供給され、そして、Ｂ原液供給装置４からＢ原液が供給される。各血液浄化装置１は、清浄水、Ａ原液、およびＢ原液を、血液浄化治療を受ける患者に合わせた割合で配合することにより、患者に合った透析液を生成し、血液浄化治療に利用する。
【００２０】
血液浄化システムでは、各血液浄化装置１は、当該血液浄化装置１を洗浄するためのユニット（後述する図３の洗浄ユニット１６）を備える。Ａ原液供給装置３，Ｂ原液供給装置４は、それぞれの装置を洗浄するためのユニット（後述する図６の洗浄ユニット３６，図７の洗浄ユニット４６）を備える。
【００２１】
各血液浄化装置１では、血液浄化治療が完了すると、当該血液浄化装置１の洗浄が開始される。そして、血液浄化システムでは、全ての血液浄化装置１において当該血液浄化装置１の洗浄が完了すると、当該血液浄化システムを洗浄するための処理が開始される。血液浄化システムを洗浄するための処理は、Ａ原液供給装置３およびＢ原液供給装置４の洗浄と、ＲＯ装置２から血液浄化システム全体への清浄水の供給とを含む。
【００２２】
＜血液浄化システムにおける洗浄のシーケンス＞
次に、図２を参照して、血液浄化システムにおける洗浄についてのシーケンスを説明する。図２は、血液浄化システムの各装置の洗浄のシーケンスを示す図である。
【００２３】
図２に示されるように、血液浄化システムでは、血液浄化治療の完了した血液浄化装置１に対して、当該血液浄化装置１の洗浄を開始する指示が入力される（矢印Ａ００）。当該指示は、たとえば、血液浄化治療の完了を認知した操作者（たとえば、医療従事者）が所定の操作（たとえば、所定のボタンを押す）を行うことにより、血液浄化装置１へと入力される。当該指示の入力に応じて、各血液浄化装置１は、当該血液浄化装置１の洗浄を開始する。各血液浄化装置１は、当該血液浄化装置１の洗浄が完了すると、その旨を示す信号を、血液浄化システムの制御装置であるＲＯ装置２へ送信する（矢印Ａ０１）。
【００２４】
ＲＯ装置２は、各血液浄化装置１から送信される信号に基づいて、全ての血液浄化装置１の洗浄が完了したかどうかを判断する。そして、ＲＯ装置２は、全ての血液浄化装置１の洗浄が完了したことを検出すると、血液浄化システムの洗浄を開始する。
【００２５】
血液浄化システムの洗浄では、ＲＯ装置２は、Ａ原液供給装置３に当該Ａ原液供給装置３の洗浄を指示し（矢印Ａ０２）、また、Ｂ原液供給装置４に当該Ｂ原液供給装置４の洗浄を指示する（矢印Ａ０３）。Ａ原液供給装置３とＢ原液供給装置４に指示を送信する一方で、ＲＯ装置２は、各血液浄化装置１に対して、Ａ原液供給装置３およびＢ原液供給装置４において洗浄に利用された洗浄液を吸引する指示が出力する。
【００２６】
ＲＯ装置２からの指示に応じて、Ａ原液供給装置３は当該Ａ原液供給装置３の洗浄を開始し、Ｂ原液供給装置４は当該Ｂ原液供給装置４の洗浄を開始する。Ａ原液供給装置３の洗浄に利用される洗浄液は、Ａ原液配管６および枝管６Ａ，６Ｂを介して、各血液浄化装置１へと導かれる。また、Ｂ原液供給装置４の洗浄に利用される洗浄液は、Ｂ原液配管７および枝管７Ａ，７Ｂを介して、各血液浄化装置１へと導かれる。
【００２７】
Ａ原液供給装置３は、当該Ａ原液供給装置３の洗浄が完了すると、その旨をＲＯ装置２へ通知する（矢印Ａ０４）。Ｂ原液供給装置４は、当該Ｂ原液供給装置４の洗浄が完了すると、その旨をＲＯ装置２へ通知する（矢印Ａ０５）。
【００２８】
血液浄化システムの制御装置としてのＲＯ装置２は、Ａ原液供給装置３およびＢ原液供給装置４から洗浄が完了した通知を受けると、血液浄化システムに清浄水を供給する装置としてのＲＯ装置２に、血液浄化システム全体に清浄水を供給させる。これにより、ＲＯ装置２は、枝管５１を介してＡ原液供給装置３へ清浄水を供給し、枝管５２を介してＢ原液供給装置４へ清浄水を供給し、枝管５Ａ，５Ｂを介して各血液浄化装置１へ清浄水を供給する。Ａ原液供給装置３およびＢ原液供給装置４へ供給された清浄水は、枝管６Ａ，６Ｂ，７Ａ，７Ｂを介して、各血液浄化装置１に吸引される。各血液浄化装置１では、吸引した清浄水およびＲＯ装置２から供給された清浄水は、適宜排出される。
【００２９】
各血液浄化装置１は、後述する洗浄ユニット１６を利用して、上記したような血液浄化治療の完了後の血液浄化装置１の洗浄を実行する。このような血液浄化装置１単独の洗浄は、本明細書における「血液浄化システム全体の洗浄」とは別に実行されるものであり、血液浄化システム全体の洗浄の前に実行されるものである。
【００３０】
＜血液浄化装置１のハードウェア構成＞
図３は、血液浄化装置１のハードウェア構成を概略的に示す図である。図３を参照して、血液浄化装置１のハードウェア構成を説明する。
【００３１】
図３に示されるように、血液浄化装置１は、当該血液浄化装置１の動作を制御するコントローラ１０と、記憶装置１１とを含む。コントローラ１０は、ＣＰＵ（Central  Processing  Unit）等のプロセッサを含む。記憶装置１１は、コントローラ１０のプロセッサが実行するプログラムを記憶するプログラム記憶領域１１１と、当該プログラムの実行に利用される各種のデータを記憶するデータ記憶領域１１２とを含む。
【００３２】
血液浄化装置１は、さらに、通信装置１２と、操作器１３と、表示装置１４と、血液浄化処理ユニット１５と、上述の洗浄ユニット１６とを含む。通信装置１２は、血液浄化装置１が他の機器と通信するために設けられ、たとえば無線送受信装置からなる。操作器１３は、血液浄化装置１が外部からの操作を受け付けるために設けられ、たとえば、操作ボタン、および／または、タッチパネルからなる。表示装置１４は、血液浄化装置１が情報を表示するために設けられ、たとえば液晶表示装置やプラズマディスプレイ等の表示装置からなる。血液浄化処理ユニット１５は、血液浄化装置１が患者に血液浄化治療を施すために設けられ、血液浄化装置１に取り付けられた中空糸透析器等の血液浄化器に透析液を供給するためのポンプ、および、ＲＯ装置２から供給された清浄水とＡ原液供給装置３から供給されたＡ原液とＢ原液供給装置４から供給されたＢ原液とを患者に合った割合で混合するために、各溶液を所与の容器に導入するためのバルブの開閉度合いを制御するための部材等を含む。洗浄ユニット１６は、血液浄化装置１の洗浄のために設けられ、たとえば、洗浄液を貯蔵するタンク、当該タンクから血液浄化装置１の内部に洗浄液を供給するために駆動される部材等を含む。
【００３３】
＜ＲＯ装置２のハードウェア構成＞
図４は、ＲＯ装置２のハードウェア構成を概略的に示す図である。図４を参照して、ＲＯ装置２のハードウェア構成を説明する。
【００３４】
図４に示されるように、ＲＯ装置２は、当該ＲＯ装置２の動作を制御するコントローラ２０と、記憶装置２１とを含む。コントローラ２０は、ＣＰＵ等のプロセッサを含む。記憶装置２１は、コントローラ２０のプロセッサが実行するプログラムを記憶するプログラム記憶領域２１１と、当該プログラムの実行に利用される各種のデータを記憶するデータ記憶領域２１２とを含む。
【００３５】
第１の実施の形態では、ＲＯ装置２は、血液浄化システム全体の制御装置としての機能をも有している。より具体的には、コントローラ２０は、上記プロセッサがプログラム記憶領域２１１内のプログラムを実行することによって、制御部２０１および検出部２０２として機能する。制御部２０１は、図２を参照して説明したような、Ａ原液供給装置３およびＢ原液供給装置４に対する洗浄の指示（矢印Ａ０２，Ａ０３）およびＲＯ装置２による血液浄化システム全体への清浄水の供給を制御する。検出部２０２は、全ての血液浄化装置１の洗浄が完了したことを検出する。
【００３６】
検出部２０２は、たとえばデータ記憶領域２１２に格納された、各血液浄化装置１の洗浄状態を表すデータを参照して、全ての血液浄化装置１の洗浄が完了したことを検出する。当該データの内容の一例を、図５に示す。
【００３７】
図５に示されたデータにおいて、各装置ＩＤは、各血液浄化装置１に対応する。また、当該データでは、装置ＩＤごとに、洗浄状態が値１または値０で表される。当該データの初期状態では、各血液浄化装置１の洗浄状態は、値０に設定される。コントローラ２０は、各血液浄化装置１から洗浄が完了したことを示す信号を受信すると、当該血液浄化装置１の洗浄状態の値を値１へと更新する。そして、コントローラ２０は、全ての血液浄化装置１の洗浄状態が値１となったときに、全ての血液浄化装置１の洗浄が完了したことを検出する。
【００３８】
なお、血液浄化システムにおいて、全ての血液浄化装置１の洗浄が完了したことの検出の態様は、これに限定されない。各血液浄化装置１とＲＯ装置２との間に中継装置を設け、各血液浄化装置１は当該中継装置に対して洗浄完了を示す信号を送信し、当該中継装置が全ての血液浄化装置１の洗浄完了を検出したときにＲＯ装置２に特定の信号を送信しても良い。この場合、コントローラ２０は、当該特定の信号を受信したときに、全ての血液浄化装置１の洗浄が完了したことを検出する。
【００３９】
図４に戻って、ＲＯ装置２は、さらに、通信装置２２と、操作器２３と、表示装置２４と、清浄水供給ユニット２５とを含む。通信装置２２は、たとえば無線送受信装置からなる。操作器２３は、たとえば、操作ボタン、および／または、タッチパネルからなる。表示装置２４は、たとえば液晶表示装置やプラズマディスプレイ等の表示装置からなる。清浄水供給ユニット２５は、血液浄化装置１、Ａ原液供給装置３およびＢ原液供給装置４に清浄水を供給するためのユニットであり、たとえば、逆浸透等により清浄水を生成する装置、当該清浄水を清浄水配管５に送るための弁、当該弁の開閉を制御するための回路等を含む。
【００４０】
＜Ａ原液供給装置３のハードウェア構成＞
図６は、Ａ原液供給装置３のハードウェア構成を概略的に示す図である。図６を参照して、Ａ原液供給装置３のハードウェア構成を説明する。
【００４１】
図６に示されるように、Ａ原液供給装置３は、当該Ａ原液供給装置３の動作を制御するコントローラ３０と、記憶装置３１とを含む。コントローラ３０は、ＣＰＵ等のプロセッサを含む。記憶装置３１は、上記プロセッサが実行するプログラムを記憶するプログラム記憶領域３１１と、当該プログラムの実行に利用される各種のデータを記憶するデータ記憶領域３１２とを含む。
【００４２】
Ａ原液供給装置３は、さらに、通信装置３２と、操作器３３と、表示装置３４と、Ａ原液供給ユニット３５と、上述の洗浄ユニット３６とを含む。通信装置３２は、たとえば無線送受信装置からなる。操作器３３は、たとえば、操作ボタン、および／または、タッチパネルからなる。表示装置３４は、たとえば液晶表示装置やプラズマディスプレイ等の表示装置からなる。Ａ原液供給ユニット３５は、血液浄化装置１にＡ原液を供給ために設けられ、Ａ原液を貯留するタンクと、当該タンクからＡ原液配管６へＡ原液を供給する弁の開閉を制御するための回路等を含む。洗浄ユニット３６は、Ａ原液供給装置３の洗浄のために設けられ、たとえば、洗浄液を貯蔵するタンク、当該タンクからＡ原液供給装置３の内部に洗浄液を供給するために駆動される部材等を含む。
【００４３】
＜Ｂ原液供給装置４のハードウェア構成＞
図７は、Ｂ原液供給装置４のハードウェア構成を概略的に示す図である。図７を参照して、Ｂ原液供給装置４のハードウェア構成を説明する。
【００４４】
図７に示されるように、Ｂ原液供給装置４は、当該Ｂ原液供給装置４の動作を制御するコントローラ４０と、記憶装置４１とを含む。コントローラ４０は、ＣＰＵ等のプロセッサを含む。記憶装置４１は、上記プロセッサが実行するプログラムを記憶するプログラム記憶領域４１１と、当該プログラムの実行に利用される各種のデータを記憶するデータ記憶領域４１２とを含む。
【００４５】
Ｂ原液供給装置４は、さらに、通信装置４２と、操作器４３と、表示装置４４と、Ｂ原液供給ユニット４５と、上述の洗浄ユニット４６とを含む。通信装置４２は、たとえば無線送受信装置からなる。操作器４３は、たとえば、操作ボタン、および／または、タッチパネルからなる。表示装置４４は、たとえば液晶表示装置やプラズマディスプレイ等の表示装置からなる。Ｂ原液供給ユニット４５は、血液浄化装置１にＢ原液を供給ために設けられ、Ｂ原液を貯留するタンクと、当該タンクからＢ原液配管７へＢ原液を供給する弁の開閉を制御するための回路等を含む。洗浄ユニット４６は、Ｂ原液供給装置４の洗浄のために設けられ、たとえば、洗浄液を貯蔵するタンク、当該タンクからＢ原液供給装置４の内部に洗浄液を供給するために駆動される部材等を含む。
【００４６】
＜制御装置が実行する制御の流れ＞
図８は、血液浄化システムの制御装置としてのコントローラ２０によって実行される、血液浄化システムの全体を洗浄するための処理のフローチャートである。図８を参照して、当該処理の内容を説明する。
【００４７】
図８に示されるように、ステップＳ１０で、コントローラ２０は、各血液浄化装置１からの洗浄完了を示す信号を受信する。また、コントローラ２０は、図５に示したようなデータにおいて、洗浄完了信号を受信した血液浄化装置１の洗浄状態を、値０から値１へと更新する。そして、コントローラ２０は、ステップＳ２０へ制御を進める。
【００４８】
ステップＳ２０で、コントローラ２０は、全ての血液浄化装置１の洗浄が完了したか否かを判断する。当該判断は、たとえば図５に示されたデータが参照されることによって、実現される。コントローラ２０は、全ての血液浄化装置１の洗浄が完了したと判断するとステップＳ３０へ制御を進め、まだ全ての血液浄化装置１の洗浄が完了していないと判断すると、ステップＳ１０へ制御を戻す。
【００４９】
ステップＳ３０で、コントローラ２０は、図５に示されたデータにおいて、全ての血液浄化装置１の洗浄状態の値を「０」にすることによって、全ての血液浄化装置１の洗浄状態をリセットして（値０へと更新して）、ステップＳ４０へ制御を進める。
【００５０】
ステップＳ４０で、コントローラ２０は、図２において矢印Ａ０２と矢印Ａ０３で示されるように、Ａ原液供給装置３およびＢ原液供給装置４に対して洗浄を指示して、ステップＳ５０へ制御を進める。
【００５１】
ステップＳ５０で、コントローラ２０は、Ａ原液供給装置３およびＢ原液供給装置４の双方の洗浄が完了したか否かを判断する。当該判断は、たとえば、Ａ原液供給装置３およびＢ原液供給装置４の双方から洗浄の完了の通知を受信したか否かに基づいて行なわれる。コントローラ２０は、Ａ原液供給装置３およびＢ原液供給装置４の双方の洗浄が完了したと判断するまでステップＳ５０での判断を継続し、双方の洗浄が完了したと判断すると、ステップＳ６０へ制御を進める。
【００５２】
ステップＳ６０で、コントローラ２０は、ＲＯ装置２に血液浄化システム全体へ清浄水を供給させて、制御を終了する。ここで供給される清浄水は、Ａ原液供給装置３、Ｂ原液供給装置４、清浄水配管５、Ａ原液配管６およびＢ原液配管７に供給される洗浄のための液体の一例である。なお、ＲＯ装置２は、当該洗浄のための液体として、清浄水の代わりに、専用の溶液を供給しても良い。
【００５３】
＜第１の実施の形態のまとめ＞
以上説明した第１の実施の形態では、各血液浄化装置に透析液を供給するための溶液供給装置は、によって構成される。
【００５４】
血液浄化システムの制御装置として動作するコントローラ２０は、各血液浄化装置１からの洗浄の完了を示す信号に基づいて、当該システム内の全ての血液浄化装置１の洗浄の完了を検出する。なお、各血液浄化装置１がその洗浄の完了を示す信号をコントローラ２０ではなく所与の中継装置に送信する場合、コントローラ２０は、当該中継装置からの信号に基づいて、当該システム内の全ての血液浄化装置１の洗浄の完了を検出する。
【００５５】
そして、コントローラ２０は、血液浄化システム内の全ての血液浄化装置１の洗浄の完了を検出すると、血液浄化システムの全体の洗浄を開始する。
【００５６】
［第２の実施の形態］
第２の実施の形態の血液浄化システムは、第１の実施の形態と同様に、複数の血液浄化装置１、ＲＯ装置２、Ａ原液供給装置３およびＢ原液供給装置４を含む。これらのハードウェア構成は、第１の実施の形態と同様とすることができるため、詳細な説明は繰り返さない。
【００５７】
第２の実施の形態では、血液浄化システムの制御装置であるコントローラ２０は、ＲＯ装置２、Ａ原液供給装置３またはＢ原液供給装置４に対して、特定の操作がなされたことに応じて、図８を参照して説明された処理を開始する。このような操作がなされたことを条件として図８の処理が開始されることにより、ＲＯ装置２、Ａ原液供給装置３またはＢ原液供給装置４の操作を行なう者（たとえば、医療従事者）が、血液浄化システム全体の洗浄が必要であると判断したときにのみ、血液浄化システム全体の洗浄が実行されるようになる。つまり、血液浄化システム全体の洗浄が、不必要な場合に実行されることを回避できる。
【００５８】
［第３の実施の形態］
第３の実施の形態では、ＲＯ装置２のコントローラ２０、Ａ原液供給装置３のコントローラ３０、および、Ｂ原液供給装置４のコントローラ４０によって、血液浄化システムの制御装置が構成される。図９は、第３の実施の形態における、血液浄化システム全体の洗浄のためのシーケンス図である。図９を参照して、第３の実施の形態における血液浄化システム全体の洗浄における各装置の動作シーケンスを説明する。
【００５９】
図９に示されるように、第３の実施の形態の血液浄化システムでは、各血液浄化装置１において洗浄の指示が入力される（矢印Ｂ００）、各血液浄化装置１において洗浄が実行される。各血液浄化装置１は、当該血液浄化装置１の洗浄が完了すると、Ａ原液供給装置３およびＢ原液供給装置４に当該完了を示す信号を送信する（矢印Ｂ０１，Ｂ０２）。
【００６０】
Ａ原液供給装置３は、全ての血液浄化装置１の洗浄が完了したと判断すると、当該Ａ原液供給装置３の洗浄を実行する。そして、当該Ａ原液供給装置３の洗浄が完了すると、そのことをＲＯ装置２へ通知する（矢印Ｂ０３）。また、Ｂ原液供給装置４は、全ての血液浄化装置１の洗浄が完了したと判断すると、当該Ｂ原液供給装置４の洗浄を実行する。そして、当該Ｂ原液供給装置４の洗浄が完了すると、そのことをＲＯ装置２へ通知する（矢印Ｂ０４）。
【００６１】
ＲＯ装置２は、Ａ原液供給装置３およびＢ原液供給装置４の双方からの洗浄完了の通知を受けたことを条件として、血液浄化システムの全体に洗浄用の溶液を供給する。
【００６２】
図１０に、第３の実施の形態のＡ原液供給装置３のハードウェア構成の一例が示される。図１１に、第３の実施の形態のＢ原液供給装置４のハードウェア構成の一例が示される。
【００６３】
図１０に示されるように、Ａ原液供給装置３のコントローラ３０は、プログラム記憶領域３１１に格納されたプログラムを実行することにより、制御部３０１および検出部３０２として機能する。検出部３０２は、各血液浄化装置１から送信された信号に基づいて、全ての血液浄化装置１の洗浄が完了したことを検出する。制御部３０１は、全ての血液浄化装置１の洗浄が完了したことに応じて、洗浄ユニット３６にＡ原液供給装置３を洗浄させる。そして、制御部３０１は、Ａ原液供給装置３の洗浄が完了すると、そのことをＲＯ装置２へ通知する。
【００６４】
図１１に示されるように、Ｂ原液供給装置４のコントローラ４０は、プログラム記憶領域４１１に格納されたプログラムを実行することにより、制御部４０１および検出部４０２として機能する。検出部４０２は、各血液浄化装置１から送信された信号に基づいて、全ての血液浄化装置１において洗浄が完了したことを検出する。制御部４０１は、全ての血液浄化装置１の洗浄が完了したことに応じて、洗浄ユニット４６にＢ原液供給装置４を洗浄させる。そして、制御部４０１は、Ｂ原液供給装置４の洗浄が完了すると、そのことをＲＯ装置２へ通知する。
【００６５】
第３の実施の形態のＲＯ装置２のハードウェア構成は、たとえば、図４のハードウェア構成と同様である。第３の実施の形態のＲＯ装置２では、検出部２０２は、Ａ原液供給装置３およびＢ原液供給装置４の双方で洗浄処理が完了したことを検出する。制御部２０１は、検出部２０２がＡ原液供給装置３およびＢ原液供給装置４の双方で洗浄処理が完了したことを検出したことに応じて、清浄水供給ユニット２５に、血液浄化システム全体へ洗浄水を供給させる。
【００６６】
第３の実施の形態では、血液浄化装置１のハードウェア構成は、第１の実施の形態のものと同様とすることができるため、ここでは詳細な説明は繰り返さない。
【００６７】
［第４の実施の形態］
第４の実施の形態では、ＲＯ装置２のコントローラ２０、Ａ原液供給装置３のコントローラ３０、および、Ｂ原液供給装置４のコントローラ４０によって、血液浄化システムの制御装置が構成され、そして、「血液浄化システム全体の洗浄」では、Ａ原液供給装置３およびＢ原液供給装置４の洗浄とＲＯ装置２による血液浄化システム全体への清浄水の供給とが、同時に開始される。
【００６８】
第４の実施の形態では、血液浄化装置１のハードウェア構成は、図３に示されたものとすることができる。ＲＯ装置２のハードウェア構成は、図４に示されたものとすることができる。Ａ原液供給装置３のハードウェア構成は、図１０に示されたものとすることができる。Ｂ原液供給装置４は、図１１に示されたものとすることができる。
【００６９】
図１２は、第４の実施の形態の血液浄化システムにおける、血液浄化システム全体の洗浄のためのシーケンス図である。図１２に示されるように、各血液浄化装置１に対して洗浄の指示が入力されると（矢印Ｃ００）、当該血液浄化装置１においてその洗浄が実行される。そして、各血液浄化装置１は、当該血液浄化装置１の洗浄が完了すると、洗浄の完了を示す信号を、ＲＯ装置２、Ａ原液供給装置３、および、Ｂ原液供給装置４へ送信する（矢印Ｃ０１，Ｃ０２，Ｃ０３）。全ての血液浄化装置１から洗浄の完了を示す信号を受信すると、Ａ原液供給装置３は当該Ａ原液供給装置３の洗浄を開始し、Ｂ原液供給装置４は当該Ｂ原液供給装置４の洗浄を開始し、そして、ＲＯ装置２は血液浄化システム全体への清浄水の供給を開始する。
【００７０】
［第５の実施の形態］
第５の実施の形態では、血液浄化システムを制御するための制御装置が、ＲＯ装置２、Ａ原液供給装置３、および、Ｂ原液供給装置４とは別に設けられる。図１３は、第５の実施の形態の血液浄化システムの構成を概略的に示す図である。図１３に示されるように、第５の実施の形態の血液浄化システムは、血液浄化装置１、ＲＯ装置２、Ａ原液供給装置３およびＢ原液供給装置４に加えて、制御装置としての制御用コンピュータ９を含む。
【００７１】
図１４は、制御用コンピュータ９のハードウェア構成を示す図である。図１４を参照して、制御用コンピュータ９のハードウェア構成を説明する。
【００７２】
図１４に示されるように、制御用コンピュータ９は、当該制御用コンピュータ９の動作を制御するコントローラ９０と、記憶装置９１とを含む。コントローラ９０は、ＣＰＵ等のプロセッサを含む。記憶装置９１は、上記プロセッサが実行するプログラムを記憶するプログラム記憶領域９１１と、当該プログラムの実行に利用される各種のデータを記憶するデータ記憶領域９１２とを含む。
【００７３】
制御用コンピュータ９は、さらに、通信装置９２、操作器９３、および、表示装置９４を含む。通信装置９２は、制御用コンピュータ９が、血液浄化装置１、ＲＯ装置２、Ａ原液供給装置３、および、Ｂ原液供給装置４と通信するために設けられ、たとえば無線送受信装置からなる。操作器９３は、たとえば、操作ボタン、および／または、タッチパネルからなる。表示装置９４は、たとえば液晶表示装置やプラズマディスプレイ等の表示装置からなる。
【００７４】
コントローラ９０は、上記プロセッサがプログラム記憶領域９１１内のプログラムを実行することによって、制御部９０１および検出部９０２として機能する。制御部９０１は、Ａ原液供給装置３およびＢ原液供給装置４に対する洗浄の指示およびＲＯ装置２への血液浄化システム全体への清浄水の供給を制御する。検出部９０２は、各血液浄化装置１から送信される信号に基づいて、全ての血液浄化装置１の洗浄が完了したことを検出する。
【００７５】
図１５は、第５の実施の形態の血液浄化システム全体の洗浄のためのシーケンス図である。図１５を参照して、第５の実施の形態における血液浄化システム全体の洗浄における各装置の動作シーケンスを説明する。
【００７６】
図１５に示されるように、第５の実施の形態の血液浄化システムでは、各血液浄化装置１において洗浄の指示が入力されると（矢印Ｄ００）、各血液浄化装置１はその洗浄を開始する。各血液浄化装置１は、当該血液浄化装置１の洗浄が完了すると、制御用コンピュータ９に、当該完了を示す信号を送信する（矢印Ｄ０１）。
【００７７】
制御用コンピュータ９は、全ての血液浄化装置１の洗浄が完了したとことを検出すると、Ａ原液供給装置３に当該Ａ原液供給装置３の洗浄を指示し（矢印Ｄ０２）、また、Ｂ原液供給装置４に当該Ｂ原液供給装置４の洗浄を指示する（矢印Ｄ０３）。これに応じて、Ａ原液供給装置３は、当該Ａ原液供給装置３の洗浄を開始する。また、Ｂ原液供給装置４は、当該Ｂ原液供給装置４の洗浄を開始する。Ａ原液供給装置３の洗浄が完了すると、Ａ原液供給装置３は、そのことを制御用コンピュータ９へ通知する（矢印Ｄ０４）。また、Ｂ原液供給装置４の洗浄が完了すると、Ｂ原液供給装置４は、そのことを制御用コンピュータ９へ通知する（矢印Ｄ０５）。
【００７８】
制御用コンピュータ９は、Ａ原液供給装置３およびＢ原液供給装置４の双方からの洗浄完了の通知を受けると、ＲＯ装置２へ、血液浄化システム全体への清浄水の供給を指示する（矢印Ｄ０６）。これに応じて、ＲＯ装置２は、血液浄化システム全体に清浄水を供給する。
【００７９】
今回開示された各実施の形態は全ての点で例示であって制限的なものではないと考えられるべきである。本発明の範囲は上記した説明ではなくて特許請求の範囲によって示され、特許請求の範囲と均等の意味および範囲内での全ての変更が含まれることが意図される。また、実施の形態および各変形例において説明された発明は、可能な限り、単独でも、組合わせても、実施することが意図される。
【符号の説明】
【００８０】
１  血液浄化装置、２  ＲＯ装置、３  Ａ原液供給装置、４  Ｂ原液供給装置、５  清浄水配管、６  Ａ原液配管、７  Ｂ原液配管、９  制御用コンピュータ、１０，２０，３０，４０，９０  コントローラ、１１，２１，３１，４１，９１  記憶装置。
【図１】
2015000281.tif 000003
【図２】
2015000281.tif 000004
【図３】
2015000281.tif 000005
【図４】
2015000281.tif 000006
【図５】
2015000281.tif 000007
【図６】
2015000281.tif 000008
【図７】
2015000281.tif 000009
【図８】
2015000281.tif 000010
【図９】
2015000281.tif 000011
【図１０】
2015000281.tif 000012
【図１１】
2015000281.tif 000013
【図１２】
2015000281.tif 000014
【図１３】
2015000281.tif 000015
【図１４】
2015000281.tif 000016
【図１５】
2015000281.tif 000017